(57)【特許請求の範囲】
【請求項１】
スマートフォン、携帯電話、或いはタブレット型携帯端末又はこれらに類するクライアント携帯端末装置と、映像又は音声を録再可能なＡＶシステムが有するホスト装置との間で映像・音声データに係る映像・音声信号を伝送し、並びに前記クライアント携帯端末装置又は前記ホスト装置を制御する制御信号を伝送する通信回線と、
前記ホスト装置から前記クライアント携帯端末装置へ電力を供給する給電回線とを有する一本のケーブルからなり、
前記クライアント携帯端末装置と、前記ホスト装置とを接続するようにした給電機能付ケーブルであって、
当該給電機能付ケーブルの前記給電回線上に、外部電源と接続され、前記制御信号で作動する電力引込手段を設け、
当該電力引込手段へ入力された前記制御信号にしたがって、オン・オフが切り替わるスイッチを、前記電力引込手段に設けて、
前記クライアント携帯端末装置が起動されたとき、
当該クライアント携帯端末装置から前記ホスト装置に向かって前記通信回線を伝送する前記制御信号が、当該通信回線から分岐されて前記スイッチへ入力され、
当該スイッチがオンとなったことを受けて、前記クライアント携帯端末装置を起動したことによって前記給電回線を通じて当該クライアント携帯端末装置へ電力を供給していた前記外部電源が、前記ホスト装置へ電力を供給するようにしたことを特徴とする給電機能付ケーブル。
【請求項２】
前記ホスト装置は、カーオーディオシステム或いはカーナビゲーションシステム又はこれらに類する車載ＡＶシステムに含まれる車載装置であって、
前記外部電源は、車載アクセサリ用電源であることを特徴とする請求項１に記載の給電機能付ケーブル。
【請求項３】
前記スイッチは、ロードスイッチからなることを特徴とする請求項１に記載の給電機能付ケーブル。
【請求項４】
前記スイッチは、ショットキーバリアダイオードからなることを特徴とする請求項１に記載の給電機能付ケーブル。
【発明の詳細な説明】
【技術分野】
【０００１】
本発明は、スマートフォン、携帯電話、或いはタブレット型携帯端末又はこれらに類する携帯端末装置を、オーディオ・ビジュアルシステムへ接続する給電機能付ケーブルに関し、特に、当該携帯端末装置を、カーオーディオシステム、カーナビゲーションシステム又はこれらに類する車載オーディオ・ビジュアルシステムへ接続する給電機能付ケーブルに関する。
【背景技術】
【０００２】
スマートフォン、携帯電話、或いはタブレット型端末又はこれらに類する携帯端末装置が有する記録媒体には、デジタル映像・音声データを保存することができる。さらに、当該携帯端末装置は、単体で使用することに加えて、オーディオ・ビジュアルシステム（以下「ＡＶシステム」という）へ接続することができる。これにより、携帯端末装置は、ＡＶシステムのうち、たとえばメインユニットをホストとする周辺機器、又は当該メインユニットにサーバ機能を設けて、当該メインユニットを中心としたネットワークに属するクライアント端末として使用することもできる。
したがって、ユーザーは、携帯端末装置へ記録した好みの映像コンテンツや音楽を、当該携帯端末装置のディスプレイ及びヘッドホンで視聴する場合の他、ＡＶシステムを使って視聴することができる。
そして、ＡＶシステムの一例としては、通常の、たとえばホームシアターといったものの他に、カーオーディオシステム、カーナビゲーションシステム又はこれらに類する車載ＡＶシステムといったものも知られている。
一方、上記の携帯端末装置は、無線通信回線を通じてインターネットへ接続することができる。これにより、たとえば動画サイトからダウンロードした動画、或いは当該動画サイトでストリーミング配信されている動画を当該携帯端末装置で視聴することができる。
さらに、登録した会員のみ閲覧及び視聴可能なソーシャルネットワークサービス（ＳＮＳ）やオンラインゲームといったコンテンツ類についてもまた、当該携帯端末装置で閲覧若しくは視聴することができる。
したがって、上記と同様に、携帯端末装置にストリーミング配信されている動画や当該携帯端末装置のモニタ画面に表示されているコンテンツ類を、ＡＶシステムに設けた大画面モニタを用いて表示することができる。
【０００３】
ここで、従来、上記のデジタル映像・音声データは、旧来のアナログ画像に相当する標準画質（以下「ＳＤ（Ｓｔａｎｄａｒｄ‐Ｄｅｆｉｎｉｔｉｏｎ）」という）で保存されていた。しかし、近年のデジタル機器の高性能化に伴って、デジタル映像・音声データは、ＳＤよりも画素数が多くデータも大きい高解像度・高精細な高画質（以下「ＨＤ（Ｈｉｇｈ‐Ｄｅｆｉｎｉｔｉｏｎ）」という）で保存されることが増えつつある。そして、当該ＨＤ映像・音声データに係る映像・音声信号をテレビやパソコン、またはＡＶ機器間で通信するために、ＨＤＭＩ（登録商標）（Ｈｉｇｈ‐Ｄｅｆｉｎｉｔｉｏｎ  Ｍｕｌｔｉｍｅｄｉａ  Ｉｎｔｅｒｆａｃｅ：高精細度マルチメディアインターフェース）という通信規格が規定されている。
【０００４】
さらに、ＨＤＭＩ（登録商標）を発展させた通信規格の一つに、ＭＨＬ（Ｍｏｂｉｌｅ  Ｈｉｇｈ‐Ｄｅｆｉｎｉｔｉｏｎ  Ｌｉｎｋ）がある。当該ＭＨＬは、上記のＨＤＭＩ（登録商標）と、パソコンとその周辺機器を結ぶデータ通信規格の一つであるＵＳＢ（Ｕｎｉｖｅｒｓａｌ  Ｓｅｒｉａｌ  Ｂｕｓ）とに基づいて規定されており、入出力端子もまた既存のＨＤＭＩ（登録商標）／ＵＳＢ端子と共用している。当該ＭＨＬは、上記の携帯端末装置とＡＶシステムとを接続して、ＨＤ映像・音声データを高速伝送すると共に、ＡＶシステム側から携帯端末装置側へ駆動用電源を供給するように規定されている。
これにより、共にＭＨＬに対応している携帯端末装置とＡＶシステムを接続した場合、一本のケーブルでＨＤ映像・音声データの伝送とＡＶシステム側から携帯端末装置側への電力供給を行うことができる。
【先行技術文献】
【特許文献】
【０００５】
【特許文献１】引用なし
【発明の概要】
【発明が解決しようとする課題】
【０００６】
しかしながら、ＭＨＬに対応したケーブルは、たとえば、一端にＵＳＢ端子を有し、他端にＨＤＭＩ（登録商標）端子を有するように形成されている。
ここで、携帯端末装置が有する入出力端子には、当然ながらＭＨＬに非対応のものが多数ある。このようなＭＨＬに非対応の当該携帯端末装置の入出力端子は、標準化していない独自規格であったり、通信用にＨＤＭＩ（登録商標）を使用し、電力供給用にＵＳＢを使用して両規格を併用したりするものがある。
このようなＭＨＬに非対応の携帯端末装置とＡＶシステムとを接続する場合には、通信用のケーブルと電力供給用のケーブルを用意しなければならない。
【０００７】
しかし、上記の場合、特に車載ＡＶシステムと携帯端末装置を接続する場合に、ＨＤ映像・音声データの通信用のＨＤＭＩ（登録商標）ケーブルと電力供給用ケーブルの少なくとも２本のケーブルを使うことになる。このようにケーブルの本数を徒に増やすと取り回しが煩雑になるおそれがある。さらに、複数のケーブルが車内で乱雑に配線されているのは見た目も悪く、また引っ掛けたりするといったトラブルの原因となるおそれがある。
ここで、たとえば、大径ホースの中空部に複数本のケーブルを挿通したり、複数本のケーブルをバンドで結束したりして、１本のケーブルであるかのようにまとめた場合には、見た目については改善することができるものの、まとめたケーブルの見た目上の太さが太くなるので撓みにくくなり、却って取り回しが困難になるおそれがある。
【０００８】
したがって、本発明が解決しようとする課題は、一本のケーブルでＨＤ映像・音声データに係るＨＤ映像・音声信号の伝送と、ＡＶシステム及び携帯端末装置への電力供給をするようにした給電機能付ケーブルを提供することである。
【課題を解決するための手段】
【０００９】
請求項１に記載の給電機能付ケーブルは、スマートフォン、携帯電話、或いはタブレット型携帯端末又はこれらに類するクライアント携帯端末装置と、映像又は音声を録再可能なＡＶシステムが有するホスト装置との間で映像・音声データに係る映像・音声信号を伝送し、並びに前記クライアント携帯端末装置又は前記ホスト装置を制御する制御信号を伝送する通信回線と、
前記ホスト装置から前記クライアント携帯端末装置へ電力を供給する給電回線とを有する一本のケーブルからなり、
前記クライアント携帯端末装置と、前記ホスト装置とを接続するようにした給電機能付ケーブルであって、
当該給電機能付ケーブルの前記給電回線上に、外部電源と接続され、前記制御信号で作動する電力引込手段を設け、
当該電力引込手段へ入力された前記制御信号にしたがって、オン・オフが切り替わるスイッチを、前記電力引込手段に設けて、
前記クライアント携帯端末装置が起動されたとき、
当該クライアント携帯端末装置から前記ホスト装置に向かって前記通信回線を伝送する前記制御信号が、当該通信回線から分岐されて前記スイッチへ入力され、
当該スイッチがオンとなったことを受けて、前記クライアント携帯端末装置を起動したことによって前記給電回線を通じて当該クライアント携帯端末装置へ電力を供給していた前記外部電源が、前記ホスト装置へ電力を供給するようにしたことを特徴とする。
【００１０】
請求項２に記載の給電機能付ケーブルは、請求項１に記載の発明において、前記ホスト装置は、カーオーディオシステム或いはカーナビゲーションシステム又はこれらに類する車載ＡＶシステムに含まれる車載装置であって、
前記外部電源は、車載アクセサリ用電源であることを特徴とする請求項１に記載の給電機能付ケーブル。
【００１２】
請求項３に記載の給電機能付ケーブルは、請求項１に記載の発明において、前記スイッチは、ロードスイッチからなることを特徴とする。
【００１３】
請求項４に記載の給電機能付ケーブルは、請求項１に記載の発明において、前記スイッチは、ショットキーバリアダイオードからなることを特徴とする。
【発明の効果】
【００１４】
請求項１に記載の給電機能付ケーブルによれば、当該給電機能付ケーブルは、ＡＶシステムが有するホスト装置とクライアント携帯端末装置との間で映像信号及び音声信号、並びに制御信号が伝送する通信回線と、ホスト装置からクライアント携帯端末装置へ電力を供給する給電回線を有する一本のケーブルであって、当該給電回線上に外部電源と接続され、クライアント端末装置から入力される制御信号で作動する電力引込手段を設けた。
これにより、クライアント携帯端末装置とＡＶシステムを別の充電専用ケーブルで接続しなくとも、一本のケーブルで映像・音声データの伝送と、外部電源からクライアント携帯端末装置及びホスト装置への電力供給を実現することができる。
さらに、外部電源を用いることにより、クライアント携帯端末装置側で大容量のデータを出力して消費電力が増大した場合であっても、当該クライアント携帯端末装置へ安定して電力を供給することができると共に、ＡＶシステム側へもまた電力を供給することができる。
さらに、電力引込手段に制御信号にしたがって動作するスイッチを設けて、当該スイッチがオンのときに外部電源からホスト装置、ひいてはＡＶシステム側へ電力が供給されるようにした。これによって、スイッチがオフのときには外部電源から携帯端末装置へ電力が供給され、スイッチがオンになると共に遅れてＡＶシステム側へ電力を供給することができる。そのため、ＨＤＭＩ（登録商標）に準拠する一のクライアント携帯端末装置のスイッチ・オンに係る制御信号によって、ＡＶシステムに接続されているその他の周辺機器又はクライアント端末装置或いはこれらに類する周辺装置へ、当該ホスト装置が電源を供給する仕様を満たすことができる。
【００１５】
請求項２に記載の給電機能付ケーブルによれば、ＡＶシステムをカーオーディオシステム或いはカーナビゲーションシステム又はこれらに類する車載ＡＶシステムとすると共に、ホスト装置を当該車載ＡＶシステムに含まれる車載装置とし、外部電源を車載アクセサリ用電源とした。
これにより、外部記録媒体として、又は無線通信手段を利用した動画等の外部ソースの供給源として用いられるクライアント携帯端末装置と既存の車載ＡＶシステムの間の通信回線と、当該車載ＡＶシステムと携帯端末装置を接続する給電回線とを一本のケーブルにまとめることができる。
そのため、車内のセンターコンソール付近やダッシュボード近傍の配線やケーブルの取り回しを簡略化して、見栄えをよくすることができ、トラブルの発生を防ぐことができる。
また、ケーブル及び電力引込手段を介して外部電源から車載ＡＶシステム側へも電力を供給するようにしたことにより、当該外部電源から車載ＡＶシステムへ安定した電力を供給することができる。
【００１７】
請求項３に記載の給電機能付ケーブルによれば、電力引込手段が有するスイッチをロードスイッチとした。ロードスイッチは通信回線上を伝送している制御信号で制御することが容易にできるので、当該ロードスイッチをクライアント携帯端末装置又はＡＶシステムのいずれか一方から遠隔操作したり、自動制御することが容易にできる。これにより、電力引込手段の操作性を向上させることができる。
【００１８】
請求項４に記載の給電機能付ケーブルによれば、電力引込手段が有するスイッチをショットキーバリアダイオードとした。これにより、部品点数を少なくし、回路構成を簡略化することができる。そのため、スイッチを小型化することができるので、電力引込手段を設けた一本のケーブル上で、スイッチ部分を目立たなくすることができ、見栄えをよくすることができる。また、ショットキーバリアダイオードは安価に入手することができるので、給電機能付ケーブルの製造コストを抑えることができる。
【図面の簡単な説明】
【００１９】
【図１】第１実施例に係る給電機能付ケーブルの構成の概略を示すブロック図である。
【図２】第１実施例に係る給電機能付ケーブルの電力引込手段の構成の概略を示すブロック図である。
【図３】第２実施例に係る給電機能付ケーブルの電力引込手段の構成の概略を示すブロック図である。
【実施例１】
【００２０】
本願発明に係る給電機能付ケーブルの実施例を、添付した図面にしたがって説明する。
図１に本実施例に係る給電機能付ケーブルの構成の概略を示す。図２に本実施例に係る給電機能付ケーブルの電力引込手段の構成の概略を示す。
【００２１】
ここで、図１に示す本実施例に係るＡＶシステム１は、映像又は音声を録画・録音又は再生可能なＡＶシステムをいい、当該映像又は音声の録再を制御する制御手段を備えたメインユニットとなるホスト装置１ａを少なくとも一台有しているシステムをいう。当該ＡＶシステム１は、特にカーオーディオシステム或いはカーナビゲーションシステム又はこれらに類する車載ＡＶシステムが好ましく、少なくとも一台のメインユニットたる車載装置を有している。ただし、これに限定されず、たとえばホームシアターのような家庭用ＡＶシステムであっても良い。
また、本実施例に係るクライアント携帯端末装置２は、携帯電話、スマートフォン、或いはタブレット型携帯端末又はこれらに類する携帯端末装置をいい、ＡＶシステム１に接続したとき、ホスト装置１ａに対する周辺機器又はクライアント端末として動作する携帯端末装置をいう。
さらに、本実施例に係る外部電源３は、車載アクセサリ用電源ＡＣＣから供給される電源であって、車載バッテリーと接続され、１２Ｖが供給される電源をいう。外部電源３は、車載アクセサリが接続されるソケット３ａと１２Ｖ電源を昇圧又は降圧して所定の電圧に調整する電圧調整手段を有している。
【００２２】
給電機能付ケーブル１０は、ケーブル本体１１と、当該ケーブル本体１１の一端に配した第１コネクタ１２と、ケーブル本体１１上に設けた電力引込手段１３と、ケーブル本体１１の他端に配した第２コネクタ１４からなる。
【００２３】
ケーブル本体１１は、互いにシールドされた複数本の電線を一本にまとめて形成されている。これによりノイズの影響を防ぐことができる。当該電線の両端にはそれぞれ細片状のピンからなる端子（図示略）が配されている。当該端子は、所定の規格にしたがって第１コネクタ１２、第２コネクタ１４内に適宜配されている。
第１コネクタ１２、第２コネクタ１４内に配された端子の位置によって、電線は、通信回線１１ａと給電回線１１ｂに分類されている。
通信回線１１ａは、さらに、車載ＡＶシステム１のホスト装置１ａとクライアント携帯端末装置２との間で映像データに係る映像信号ｍが伝送する映像回線と、車載ＡＶシステム１のホスト装置１ａとクライアント携帯端末装置２との間で音声データに係る音声信号ｓが伝送する音声回線、並びに車載ＡＶシステム１又はクライアント携帯端末装置２を制御する制御信号ｃが伝送する回線に分類されている。
給電回線１１ｂは、車載ＡＶシステム１からクライアント携帯端末装置２へ電力を供給可能に形成されている。これにより、車載ＡＶシステム１とクライアント携帯端末装置２が、共にＭＨＬ若しくは互いに対応する給電用の端子を確保したＨＤＭＩ（登録商標）に準拠している場合には、車載ＡＶシステム１からクライアント携帯端末装置２へ給電回線１１ｂを通じて電力を供給することができる。
【００２４】
第１コネクタ１２は車載ＡＶシステム１と接続可能に形成されている。
第１コネクタ１２内の端子配列はＨＤＭＩ（登録商標）に準拠している。なお、本実施例では第１コネクタ１２をＨＤＭＩ（登録商標）としたが、これに限定されるものではなく、ＵＳＢ端子としても良い。
ここで、ＨＤＭＩ（登録商標）とは、高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ）の略称で、高精細度（ＨＤ）の映像信号ｍ及び音声信号ｓをデジタルで伝送するデジタル家電向けの標準規格をいう。ＨＤＭＩ（登録商標）では、ＨＤ映像信号ｍ・ＨＤ音声信号ｓがデジタル形式で伝送されるので、高音質・高画質のまま、一のデジタル家電から他のデジタル家電へＨＤ映像信号ｍ・ＨＤ音声信号ｓが伝送可能であることが特徴である。
第１コネクタ１２は、車載ＡＶシステム１のＨＤＭＩ（登録商標）ソケットに接続される。これにより、第１コネクタ１２を介してＨＤ映像信号ｍ・ＨＤ音声信号ｓを車載ＡＶシステム１へ伝送することができる。
【００２５】
第２コネクタ１４は、コネクタベース１４ａから分岐したＨＤＭＩ（登録商標）コネクタ１４ｂとＵＳＢコネクタ１４ｃからなる。
ＨＤＭＩ（登録商標）コネクタ１４ｂは、ミニＨＤＭＩ（登録商標）端子又はマイクロＨＤＭＩ（登録商標）端子のいずれか一方からなる。ミニＨＤＭＩ（登録商標）端子は、標準のＨＤＭＩ（登録商標）端子よりも小型に形成されたタイプＣと呼ばれる端子である。また、マイクロＨＤＭＩ（登録商標）端子は、ミニＨＤＭＩ（登録商標）端子よりも小型に形成されたタイプＤと呼ばれる端子である。ミニＨＤＭＩ（登録商標）端子をソケット状に形成してマイクロＨＤＭＩ（登録商標）端子を当該ソケットへ嵌合することにより、両者に互換性を持たせるように形成されている。ミニＨＤＭＩ（登録商標）端子及びマイクロＨＤＭＩ（登録商標）端子は共にクライアント携帯端末装置２用に規定されたものである。
【００２６】
ＵＳＢコネクタ１４ｃもまた、ミニＵＳＢ端子又はマイクロＵＳＢ端子のいずれか一方からなる。ミニＵＳＢ端子は、標準のＵＳＢ端子よりも小型に形成された端子である。また、マイクロＵＳＢ端子は、ミニＵＳＢ端子よりも小型に形成された端子である。ミニＵＳＢ端子をソケット状に形成してマイクロＵＳＢ端子を当該ソケットへ嵌合することにより、両者に互換性を持たせるように形成されている。ミニＵＳＢ端子及びマイクロＵＳＢ端子は共にクライアント携帯端末装置２用に規定されたものである。
ここで、ＵＳＢとは、汎用シリアルバス（Ｕｎｉｖｅｒｓａｌ  Ｓｅｒｉａｌ  Ｂｕｓ）の略称で、ホスト機器に複数の周辺機器を接続するためのバス規格をいう。ＵＳＢでは、ホスト機器と周辺機器との間でデータ通信をすると共に、ホスト機器から周辺機器へ電力を供給することができるように規定されている。
ＨＤＭＩ（登録商標）コネクタ１４ｂ、又はＵＳＢコネクタ１４ｃのいずれか一方を、クライアント携帯端末装置２側のソケット形状に合わせて接続することにより、ＨＤ映像信号ｍ・ＨＤ音声信号ｓを車載ＡＶシステムへ伝送することができる。
【００２７】
なお、本実施例に係るＨＤＭＩ（登録商標）コネクタ１４ｂは、ミニＨＤＭＩ（登録商標）端子又はマイクロＨＤＭＩ（登録商標）端子、ＵＳＢコネクタ１４ｃはミニＵＳＢ端子又はマイクロＵＳＢ端子としたが、これに限定されるものではなく、これらの端子に替えて、たとえば、ｉＰｈｏｎｅ（登録商標）、又はその他クライアント携帯端末装置２専用のインターフェイスに対応した端子形状としても良い。
ここで、クライアント端末装置２専用の端子とは、当該クライアント端末装置のメーカー若しくは当該メーカーが主導する団体等において専用に設計・規定された規格に準拠した端子をいう。当該専用端子は、上記のＵＳＢと同様、ホスト機器と周辺機器との間でデータ通信をすると共に、ホスト機器から周辺機器へ電力を供給することができるように規定されていることが多い。すなわち、第２コネクタ１４、特にＵＳＢコネクタ１４ｃに替えて使用できるようにしても良い。
これにより、本実施例に係る給電機能付ケーブルを、特定のクライアント携帯端末装置２に対応する専用のケーブルに形成することができる。
【００２８】
電力引込手段１３は、電力引込線１５と、電力入力端子１６とを有している。
電力入力端子１６は、ＵＳＢ端子からなり、外部電源３のソケット３ａに接続可能に形成されている。
なお、本実施例に係る電力引込端子１６はＵＳＢ端子としたが、これに限定されるものではなく、たとえば、交流電圧又は直流電圧にそれぞれ対応したプラグ若しくはソケットからなる端子としても良い。
電力引込手段１３と第１コネクタ１２との間の長さは、電力引込手段１３と第２コネクタ１４のコネクタベース１４ａとの間の長さよりも短く形成されている。これにより、電力引込手段１３と第２コネクタ１４のコネクタベース１４ａとの間のケーブル本体１１はあたかも一本にまとめたかのように取り扱うことができるので、車載ＡＶシステム１とクライアント携帯端末装置２との間の配線の取り回しを容易にすることができる。
【００２９】
電力引込手段１３は、図２に示すように、ロードスイッチ１７を有している。
ロードスイッチ１７は、電源入力端子１８と電源出力端子１９、並びに制御信号入力端子２０を有している。電源入力端子１８は、電力引込線１５が給電回線１１ｂに接続している側に配されている。電源出力端子１９は、給電回線１１ｂを通じて車載ＡＶシステム１へ接続されている。制御信号入力端子２０は通信回線１１ａに接続されている。ロードスイッチ１７は、通信回線１１ａ側から制御信号入力端子２０へ入力された制御信号ｃにしたがって、ロードスイッチ本体１７ａがオン・オフと切り替わるように形成されている。
【００３０】
ロードスイッチ本体１７ａは、ＭＯＳ型電界効果トランジスタ（Ｍｅｔａｌ−Ｏｘｉｄｅ−Ｓｅｍｉｃｏｎｄｕｃｔｏｒ  Ｆｉｅｌｄ  Ｅｆｆｅｃｔ  Ｔｒａｎｓｉｓｔｏｒ、以下「ＭＯＳＦＥＴ」という）を中心に構成されている。当該ＭＯＳＦＥＴは、集積回路（ＩＣ）上の構成素子としてロードスイッチ本体１７ａの回路を構成するものであるのが好ましいが、単独の素子としてロードスイッチ本体１７ａの回路を構成するものであっても良い。
ロードスイッチ本体１７ａを集積回路化すると、部品点数を少なくして省スペース化を行うことができる。これにより、ケーブル本体１１上に設けた電力引込手段１３を小さくすることができるので、給電機能付ケーブル１０の見栄えを良くすることができる。
【００３１】
給電機能付ケーブル１０の電力入力端子１６を外部電源３のソケット３ａへ接続し、第２コネクタ１４のＨＤＭＩ（登録商標）コネクタ１４ｂ又はＵＳＢコネクタ１４ｃのいずれか一方をクライアント携帯端末装置２へ接続したとき、給電機能付ケーブル１０は、外部電源３からクライアント端末装置２へ電力を供給することができる。
これにより、電力引込手段１３は、外部電源３から電力を給電回線１１ｂへ引き込むことができ、外部電源３は給電回線１１ｂを介して、先ずはクライアント携帯端末装置２へ電力を供給することができるので、クライアント携帯端末装置２は、引き込んだ電力によって動作すると同時に当該電力で充電することができる。
そして、クライアント携帯端末装置２を起動したとき、通信回線１１ａ上をＨＤ映像信号ｍ・ＨＤ音声信号ｓがクライアント携帯端末装置２から車載ＡＶシステム１へ向かって伝送すると共に、クライアント携帯端末装置から制御信号ｃが制御信号入力端子２０へ入力される。当該制御信号ｃが制御信号入力端子２０へ入力された場合に、ロードスイッチ１７はオンになるように形成されている。
ロードスイッチ１７をオンとしたとき、電源入力端子１８に接続された外部電源３から電力が供給され、当該電力は、電源出力端子１９から給電回線１１ｂを通じて車載ＡＶシステム１へ供給される。
これにより、車載ＡＶシステム１及びクライアント携帯端末装置２は、外部電源３から電力の供給を受けることができる。特に車載ＡＶシステム１がアクセサリ電源に接続されないＨＤＭＩ（登録商標）又はＵＳＢのバスパワーを利用したものである場合には、外部電源から電力が供給されることにより安定して動作させることができる。
【００３２】
上記の構成を有する給電機能付ケーブル１０の使用方法を、添付した図面にしたがって説明する。
ケーブル本体１１は、その一端に設けた第１コネクタ１２が車載ＡＶシステム１のＨＤＭＩ（登録商標）ソケットへ接続される。
また、ケーブル本体１１の他端に設けた第２コネクタ１４のＨＤＭＩ（登録商標）コネクタ１４ｂ、又はＵＳＢコネクタ１４ｃのいずれか一方が、クライアント携帯端末装置２のミニＨＤＭＩ（登録商標）ソケット又はマイクロＨＤＭＩ（登録商標）ソケット、若しくはミニＵＳＢソケット又はマイクロＵＳＢソケットへ接続される。
そして、電力引込線１５の先端に配した電力引込端子１６を外部電源３のソケット３ａへ接続したとき、クライアント携帯端末２は、電力引込線１５を通じて外部電源３から電力の供給を受ける。
これにより、クライアント携帯端末装置２は安定した電源を確保することができるので、車載ＡＶシステム１とクライアント携帯端末装置２との間では、ＨＤ映像信号ｍ・ＨＤ音声信号ｓ及び制御信号ｃを通信回線１１ａを介して長時間に亘って通信することができる。
【００３３】
クライアント携帯端末装置２を起動したとき、制御信号ｃが通信回線１１ａ上を携帯端末装置２から電力引込手段１３へ向かって伝送する。
そして、当該制御信号ｃは、制御信号入力端子２０からロードスイッチ１７へ入力される。このとき、ロードスイッチ本体１７ａはオンになり、電気的に遮断されていた電源入力端子１８と電源出力端子１９間が導通して、外部電源３から車載ＡＶシステム１へ電力が供給されるようになる。
一方、クライアント携帯端末２を停止したとき、制御信号ｃの出力もまた停止する。このとき、ロードスイッチ本体１７ａはオフになり、電源入力端子１８と電源出力端子１９間は電気的に遮断され、外部電源３から車載ＡＶシステム１への電力供給は停止する。
これにより、クライアント携帯端末装置２の動作に基づいて、当該クライアント携帯端末装置２が接続されている車載ＡＶシステム１へ外部電源３から電力を供給することができる。
また、周辺機器であるクライアント携帯端末装置２の方へ先に電源を供給し、次いで車載ＡＶシステム１のホスト装置１ａに電力が供給されるようにしたことから、クライアント携帯端末装置２を起動させたときに発生するノイズがホスト装置１ａに影響することを防止することができる。
【００３４】
本実施例に係る給電機能付ケーブル１０によれば、電力引込手段１３が外部電源３から電力を給電回線１１ｂへ引き込むようにして、外部電源３が車載ＡＶシステム１と、クライアント携帯端末装置２に対してそれぞれ電力を供給するようにした。これにより、たとえば車載ＡＶシステム１側で他のＵＳＢ機器を接続することによって、クライアント携帯端末装置２へ供給される電力が減少した場合であっても、外部電源３からクライアント携帯端末装置２へ安定した電力を供給することができる。
また、本実施例に係る給電機能付ケーブル１０によれば、クライアント携帯端末装置２がＨＤＭＩ（登録商標）接続された車載ＡＶシステム１に対して、外部電源３から電力を供給するようにした。これにより、クライアント携帯端末装置２と共に車載ＡＶシステム１にもまた電力が供給されるので、車載ＡＶシステム１及びクライアント携帯端末装置２の動作を安定させることができる。
さらに、電力引込手段１３を外部電源３の近傍に位置するように、電力引込手段１３とコネクタ１２ａ間の長さよりも、電力引込手段１３とコネクタ１２ｂ間の長さよりも短くした。これにより、車載ＡＶシステム１とクライアント携帯端末装置とを接続するケーブル本体１１は、略一本のケーブルであるかのように取り扱うことができる。
【実施例２】
【００３５】
次に、本願発明に係る給電機能付ケーブルの他の実施例を、添付した図面にしたがって説明する。
図３に本実施例に係る給電機能付ケーブルの電力引込手段の構成の概略を示す。
【００３６】
給電機能付ケーブル１０Ａは、ケーブル本体１１と、当該ケーブル本体１１の両端に配した第１コネクタ１２、第２コネクタ１４については第１実施例と同様であるから説明を省略する。本実施例と第１実施例とは、ケーブル本体１１上の設けた電力引込手段１３Ａが相違する。
【００３７】
電力引込手段１３Ａが有する電力引込線１５と電力入力端子１６は、第１実施例と同様であるから説明を省略する。
電力引込手段１３Ａは、図３に示すように、スイッチ回路２５を有し、スイッチ回路２５は、少なくとも２つのショットキーバリアダイオード２６、２７を有している。
スイッチ回路２５は、第１実施例と同様に、電源入力端子１８と電源出力端子１９、並びに制御信号入力端子２０を有している。電源入力端子１８は、電力引込線１５が給電回線１１ｂと接続した側に配されている。電源出力端子１９は、給電回線１１ｂを通じて車載ＡＶシステム１へ接続されている。制御信号入力端子２０は、通信回線１１ａに接続されている。スイッチ回路２５は、通信回線１１ａ側から制御信号入力端子２０へ入力された制御信号ｃにしたがって、オン・オフと切り替わるように形成されている。
【００３８】
ショットキーバリアダイオード（Ｓｃｈｏｔｔｋｙ−Ｂａｒｒｉｅｒ  Ｄｉｏｄｅ、以下「ＳＢＤ」という）２６，２７は、金属と半導体との接触による一方向の伝導性を利用した半導体素子をいう。ＳＢＤは、ｐｎ接合ダイオードと異なり接合面近傍で電荷のストレージ効果がないので、オンからオフへ移る過渡特性が優れている。これにより、制御信号ｃの入力にしたがって素早くスイッチ２５のオン・オフを切り替えることができる。
ＳＢＤ２６は、通信回線１１ａ側から制御信号ｃを給電回線１１ｂ側へ混合可能にすると共に、給電回線１１ｂ側から通信回線１１ａ側へ電流が逆流しないように形成されている。
またＳＢＤ２７は、所定のカットイン電圧を越えたとき外部電源３から車載ＡＶシステム１へ電流が流れるようにすると共に、車載ＡＶシステム１側から給電回線１１ｂ上へ電流が流れないように形成されている。
【００３９】
スイッチ回路２５がオンとなったとき、電源入力端子１８に接続された外部電源３から電力が供給され、当該電力が電源出力端子１９から給電回線１１ｂを通じて車載ＡＶシステム１へ供給される。
これにより、電力引込手段１３Ａは、外部電源３から電力を給電回線１１ｂへ引き込むことができ、ひいては、当該給電回線１１ｂを介してクライアント携帯端末装置２に加えて車載ＡＶシステム１へ電力を供給することができる。
【００４０】
上記の構成を有する給電機能付ケーブル１０Ａの使用方法を、添付した図面にしたがって説明する。
ケーブル本体１１は、その一端に設けた第１コネクタ１２が車載ＡＶシステム１のＨＤＭＩ（登録商標）ソケットへ接続される。
また、ケーブル本体１１の他端に設けた第２コネクタ１４のＨＤＭＩ（登録商標）コネクタ１４ｂ、又はＵＳＢコネクタ１４ｃのいずれか一方が、クライアント携帯端末装置２のミニＨＤＭＩ（登録商標）ソケット又はマイクロＨＤＭＩ（登録商標）ソケット、若しくはミニＵＳＢソケット又はマイクロＵＳＢソケットへ接続される。
そして、電力引込線１５の先端に配した電力引込端子１６を外部電源３のソケット３ａへ接続したとき、クライアント携帯端末２は、電力引込線１５を通じて外部電源３から電力の供給を受ける。
これにより、クライアント携帯端末装置２は安定した電源を確保することができるので、車載ＡＶシステム１とクライアント携帯端末装置２との間では、ＨＤ映像信号ｍ・ＨＤ音声信号ｓ及び制御信号ｃを通信回線１１ａを介して長時間に亘って通信することができる。
なお、ここで、第１実施例に記載したように、ＵＳＢコネクタ１４ｃに替えて特定のクライアント端末装置２に専用に接続する特定コネクタを用いても良い。
【００４１】
クライアント携帯端末装置２を起動したとき、通信回線１１ａ上をＨＤ映像信号ｍ・ＨＤ音声信号ｓは、当該クライアント携帯端末装置２から車載ＡＶシステム１へ向かって伝送し、制御信号ｃは、クライアント携帯端末装置２からスイッチ回路２５へ向かって伝送する。
そして、制御信号ｃは、制御信号入力端子２０からスイッチ回路２５へ入力される。当該制御信号ｃは、ＳＢＤ２６を通過して給電回線１１ｂを流れる電流に混合し、電源入力端子１８側の入力電圧に制御信号ｃの電圧が印加される。
これにより電源入力端子１８側の電圧は、ＳＢＤ２７に電流が流れ始める所定のカットイン電圧を越えるので、ＳＢＤ２７に電流が流れ、電源入力端子１８側から電源出力端子１９側に電力が供給される。すなわち、スイッチ回路２５はオンになり、外部電源３から車載ＡＶシステム１側へ電力が供給される。
【００４２】
本実施例に係る給電機能付ケーブル１０Ａについても、第１実施例に係る給電機能付ケーブル１０と同様に、外部電源３から車載ＡＶシステム１及びクライアント携帯端末装置２へ安定した電力を供給することができ、また、車載ＡＶシステム１とクライアント携帯端末装置２とを接続するケーブル本体１１は、略一本のケーブルであるかのように取り扱うことができる。
【００４３】
本実施例に係る給電機能付ケーブル１０，１０Ａによれば、クライアント携帯端末装置２から入力される制御信号によってオン・オフが切り替わるスイッチを有する電力引込手段１３，１３Ａを給電回線１１ｂ上に設けた。そして、従来のように車載ＡＶシステム１のホスト装置１ａからクライアント携帯端末装置２に対して電力を供給することに加えて、スイッチがオンになったときに車載ＡＶシステム１側へもまた外部電源から電力を供給するようにした。
これにより、ホスト装置１ａに給電機能付ケーブル１０，１０Ａを介して接続する一のクライアント携帯端末装置２については、ホスト装置１ａからのバスパワーによる電力供給を受けなくともよくなる。そのため、ホスト装置１ａはバスパワーに係るリソースを、当該ホスト装置１ａに接続されているその他の周辺機器又はクライアント端末、或いはこれらに類する周辺装置へ割くことができ、ＨＤＭＩ（登録商標）或いはＵＳＢに規定されているホスト装置１ａの当該周辺装置に対する仕様を満たすことができる。
【００４４】
また、本実施例で示したＨＤＭＩ（登録商標）、ＵＳＢ或いはＭＨＬ等の通信規格、又は、クライアント端末装置２のメーカー若しくは当該メーカーが主導する団体等において専用に設計・規定された規格等に限定されるものではなく、クライアント携帯端末装置２と、車載ＡＶシステム１をはじめとしたＡＶシステム又はこれらに類するデジタル家電との間でデータ通信を行うと共に当該デジタル家電側からクライアント携帯端末装置２へ電力を供給するように規定されている規格について、本実施例に係る給電機能付ケーブル１０，１０Ａを用いるようにしても良い。
【符号の説明】
【００４５】
１０，１０Ａ…給電機能付ケーブル、１１…ケーブル本体、１１ａ…通信回線、１１ｂ…給電回線、１２…第１コネクタ、１３，１３Ａ…電力引込手段、１４…第２コネクタ、１４ａ…コネクタベース、１４ｂ…ＨＤＭＩ（登録商標）コネクタ、１４ｃ…ＵＳＢコネクタ、
１５…電力引込線、１６…電力入力端子、
１７…ロードスイッチ、１７ａ…ロードスイッチ本体、１８…電源入力端子、１９…電源出力端子、２０…制御信号入力端子、
２５…スイッチ回路、２６，２７…ショットキーバリアダイオード。
【図１】
0005938599.tif 000002
【図２】
0005938599.tif 000003
【図３】
0005938599.tif 000004